(57)【要約】【課題】メタリック色を使用した場合でも見かけ上の色の変化を抑えて与えられた色信号の色が再現される色材量を決定する色処理装置を提供する。【解決手段】最大メタリック量決定部１１は、与えられた色信号から、その色信号の色を再現する場合のメタリック色の色材量の最大値Ｓｍａｘを決定する。メタリック量調整部１３は、与えられた色信号の明度又は彩度に基づいて、メタリック色による見かけ上の色の変化に対して、決定された最大値Ｓｍａｘ以下の範囲でメタリック色の色材量を調整して色材量Ｓｏとする。調整の際に、メタリック量設定部１２の設定も考慮して行うとよい。色材量決定部１４は、与えられた色信号とメタリック量調整部１３で調整されたメタリック色の色材量Ｓｏとから、メタリック色以外の色材量Ｃｏ、Ｍｏ、Ｙｏを決定する。画像記録信号出力部１５は、Ｃｏ、Ｍｏ、ＹｏとＳｏを画像記録信号として出力する。【選択図】図１
2014036243.tif 000002
【特許請求の範囲】
【請求項１】
与えられた色信号から該色信号の色を再現する場合のメタリック色の色材量の最大値を決定する最大量決定手段と、前記色信号の明度又は彩度に基づき、メタリック色による見かけ上の色の変化に対して前記最大量決定手段で決定された最大値以下の範囲でメタリック色の色材量を調整する調整手段と、前記色信号と前記調整手段で調整されたメタリック色の色材量とからメタリック色以外の色材量を決定する色材量決定手段を有することを特徴とする色処理装置。
【請求項２】
前記調整手段は、予め決められた明度以下の色について明度が低いほどメタリック色の色材量を減らす調整を行うことを特徴とする請求項１に記載の色処理装置。
【請求項３】
前記調整手段は、予め決められた明度以上の色について明度が高いほどメタリック色の色材量を減らす調整を行うことを特徴とする請求項１または請求項２に記載の色処理装置。
【請求項４】
前記調整手段は、彩度が高いほどメタリック色の色材量を減らす調整を行うことを特徴とする請求項１から請求項３のいずれか１項に記載の色処理装置。
【請求項５】
前記調整手段は、メタリック感に対する設定に応じてメタリック色の色材量を減らす調整をさらに行うことを特徴とする請求項１から請求項４のいずれか１項に記載の色処理装置。
【請求項６】
複数の色信号と該色信号のそれぞれについて請求項１から請求項５のいずれか１項に記載の色処理装置によって求めたメタリック色を含む複数色の色材量との対を用いて、与えられた色信号からメタリック色を含む複数色の色材量に変換する変換手段を有することを特徴とする色変換装置。
【請求項７】
さらに、メタリック色の色材量を変更する変更手段と、前記変更手段で変更されたメタリック色の色材量をもとにメタリック色以外の色材量を補正する補正手段を有することを特徴とする請求項６に記載の色変換装置。
【請求項８】
コンピュータに、請求項１から請求項５のいずれか１項に記載の色処理装置の機能を実行させるものであることを特徴とする色処理プログラム。
【請求項９】
コンピュータに、請求項６または請求項７に記載の色変換装置の機能を実行させるものであることを特徴とする色変換プログラム。
【発明の詳細な説明】
【技術分野】
【０００１】
本発明は、色処理装置、色変換装置、色処理プログラム、色変換プログラムに関するものである。
【背景技術】
【０００２】
カラー画像を形成する際には、カラー画像を形成するために必要となる基本とする色（以下、基本色と呼ぶ）の色材、例えばＣ（シアン）Ｍ（マゼンタ）Ｙ（イエロー）の色材あるいはＲ（レッド）Ｇ（グリーン）Ｂ（ブルー）などの色材を用い、様々な色を再現する。基本色としてＣＭＹを用いる場合、さらにＫ（墨）の色材を用いる場合もある。近年では、これらの基本色やＫとは別の色（以下、特色と呼ぶ）の色材を用いる場合がある。例えば基本色としてＣＭＹを用い、あるいはＣＭＹとＫを用いる場合、さらに、ＲやＯ（オレンジ）、Ｇ、ＢやＶ（バイオレット）などの色のうちの１または数色の色材を用いる場合がある。
【０００３】
特色として、メタリック色を用いる場合がある。メタリック色は一般にきらきらした感じを再現するために用いられている。例えば特許文献１では、色信号の成分の一つとして指定されたメタリック色の色信号を他の色の信号とともに受け取り、あるメタリック色の色材と、メタリック色以外の色材を用いて、予め決められたメタリック色の中から指定されたメタリック色を再現することが行われている。
【０００４】
一方、画像を形成する装置においては、ある色信号を与えても形成された画像において再現される色が異なってしまう場合がある。これは、画像の形成方法や、使用する色材、画像を形成する環境など、様々な要因によって生じる。このような再現される色の違いを解消し、与えられた色信号が表す色が、形成された画像において再現されるように色変換を行う技術が開発されている。例えば、ある色信号を与えて形成された画像を測色し、測色値が与えられた色信号となるように色信号を変換すればよい。この色変換の技術は、例えばＣＭＹを基本色とし、Ｋとともに、ＯやＲＧＢなどの特色を用いた場合について特許文献２などに例示されている。
【０００５】
しかし、メタリック色はＯやＲＧＢ等の特色とは異なる特性を有している。メタリック色はきらきらした感じを再現することから、見かけ上は測色した色よりも明るい色として認識される場合がある。また、メタリック色の色材も透明ではないため、他の色の色材とともに用いるとメタリック色の色材を用いない場合に比べて彩度が低下してしまう。ＯやＲＧＢ等の特色ではこれらの特色を使用しない場合に比べて彩度が高い色が再現されるなど、再現される色の範囲（色域）が広がるが、メタリック色の使用によっては色域が広がることはない。
【０００６】
このように、メタリック色は他のＯやＲＧＢ等の特色とは異なる特性を有しており、上述の測色的に色を合わせる色変換を行って画像を形成しても、見かけ上の色が色信号により指定された色と異なってしまう場合が生じる。そのため、メタリック色については上述の測色的に色を合わせる色変換は行われてこなかった。
【先行技術文献】
【特許文献】
【０００７】
【特許文献１】特開２００６−５０３４７号公報
【特許文献２】特開２００４−１９４０４２号公報
【発明の概要】
【発明が解決しようとする課題】
【０００８】
本発明は、メタリック色を使用した場合でも見かけ上の色の変化を抑えて与えられた色信号の色が再現される色材量を決定する色処理装置、色変換装置、色処理プログラム、色変換プログラムを提供することを目的とするものである。
【課題を解決するための手段】
【０００９】
本願請求項１に記載の発明は、与えられた色信号から該色信号の色を再現する場合のメタリック色の色材量の最大値を決定する最大量決定手段と、前記色信号の明度又は彩度に基づき、メタリック色による見かけ上の色の変化に対して前記最大量決定手段で決定された最大値以下の範囲でメタリック色の色材量を調整する調整手段と、前記色信号と前記調整手段で調整されたメタリック色の色材量とからメタリック色以外の色材量を決定する色材量決定手段を有することを特徴とする色処理装置である。
【００１０】
本願請求項２に記載の発明は、本願請求項１に記載の発明における調整手段が、予め決められた明度以下の色について明度が低いほどメタリック色の色材量を減らす調整を行うことを特徴とする色処理装置である。
【００１１】
本願請求項３に記載の発明は、本願請求項１または請求項２に記載の発明における調整手段が、予め決められた明度以上の色について明度が高いほどメタリック色の色材量を減らす調整を行うことを特徴とする色処理装置である。
【００１２】
本願請求項４に記載の発明は、本願請求項１から請求項３のいずれか１項に記載の発明における調整手段が、彩度が高いほどメタリック色の色材量を減らす調整を行うことを特徴とする色処理装置である。
【００１３】
本願請求項５に記載の発明は、本願請求項１から請求項４のいずれか１項に記載の発明における調整手段が、メタリック感に対する設定に応じてメタリック色の色材量を減らす調整をさらに行うことを特徴とする色処理装置である。
【００１４】
本願請求項６に記載の発明は、複数の色信号と該色信号のそれぞれについて請求項１から請求項５のいずれか１項に記載の色処理装置によって求めたメタリック色を含む複数色の色材量との対を用いて、与えられた色信号からメタリック色を含む複数色の色材量に変換する変換手段を有することを特徴とする色変換装置である。
【００１５】
本願請求項７に記載の発明は、本願請求項６に記載の発明の構成に、さらに、メタリック色の色材量を変更する変更手段と、前記変更手段で変更されたメタリック色の色材量をもとにメタリック色以外の色材量を補正する補正手段を有することを特徴とする色変換装置である。
【００１６】
本願請求項８に記載の発明は、コンピュータに、請求項１から請求項５のいずれか１項に記載の色処理装置の機能を実行させるものであることを特徴とする色処理プログラムである。
【００１７】
本願請求項９に記載の発明は、コンピュータに、請求項６または請求項７に記載の色変換装置の機能を実行させるものであることを特徴とする色変換プログラムである。
【発明の効果】
【００１８】
本願請求項１に記載の発明によれば、メタリック色を使用した場合に生じる見かけ上の色の変化を抑えて与えられた色信号の色が再現される各色の色材量を決定することができるという効果がある。
【００１９】
本願請求項２に記載の発明によれば、メタリック色の使用によって、再現された色が見かけ上明るく見えてしまうのを抑えることができる。
【００２０】
本願請求項３に記載の発明によれば、メタリック色の使用によって、再現された色が見かけ上暗く見えてしまうのを抑えることができる。
【００２１】
本願請求項４に記載の発明によれば、メタリック色の使用によって、再現された色の彩度が見かけ上低下して見えてしまうのを抑えることができる。
【００２２】
本願請求項５に記載の発明によれば、得ようとするメタリック感に応じてメタリック色の色材量を調整することができる。
【００２３】
本願請求項６に記載の発明によれば、メタリック色を使用した場合に生じる見かけ上の色の変化を抑えた色変換を行うことができる。
【００２４】
本願請求項７に記載の発明によれば、得ようとするメタリック感に応じてメタリック色の色材量を調整した場合でも、与えられた色信号の色が再現される色変換を行うことができる。
【００２５】
本願請求項８に記載の発明によれば、本願請求項１から請求項５のいずれか１項に記載の発明の効果を得ることができる。
【００２６】
本願請求項９に記載の発明によれば、本願請求項６または請求項７に記載の発明の効果を得ることができる。
【図面の簡単な説明】
【００２７】
【図１】本発明の色処理装置の実施の一形態を示す構成図である。
【図２】本発明の色処理装置の実施の一形態における動作の一例を示す流れ図である。
【図３】メタリック色の色材量の調整方法の一例の説明図である。
【図４】本発明の色変換装置の第１の実施の形態を示す構成図である。
【図５】本発明の色変換装置の第２の実施の形態を示す構成図である。
【図６】本発明の色処理装置の実施の一形態及び色変換装置の各実施の形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２８】
図１は、本発明の色処理装置の実施の一形態を示す構成図である。図中、１１は最大メタリック量決定部、１２はメタリック量設定部、１３はメタリック量調整部、１４は色材量決定部、１５は画像記録信号出力部である。図示した例では、色信号としてＬＡＢ色空間の色信号（Ｌ* ａ* ｂ* 色信号）が与えられるものとしている。これに限らず、ＬＵＶ色空間やｓＲＧＢ色空間などの装置非依存の色空間や、ＣＭＹ、ＣＭＹＫ、ＲＧＢなど装置依存の色空間の色信号などでもよい。これらの色空間の色信号を処理対象とするほか、ＬＡＢ色空間などの処理対象とする色空間に変換してから色信号が与えられる構成であってもよい。また、特色名などによって指示され、対応する色信号に変換して与えられる構成であってもよい。また、出力される画像記録信号が示す色材色についても、この例ではＣ、Ｍ、Ｙとメタリック色を示すＳの組み合わせとしているが、この例に限らず、ＣＭＹＫとＳ、ＲＧＢとＳなど、メタリック色Ｓを含む他の色材色の組み合わせであってもよい。
【００２９】
最大メタリック量決定部１１は、与えられた色信号から、その色信号の色を再現する場合のメタリック色の色材量の最大値Ｓｍａｘを決定する。この決定方法としては種々の方法があるが、例えば特許文献２に記載されている最大墨量や最大特色量の決定方法をメタリック色に対して用いればよい。
【００３０】
メタリック量設定部１２では、どの程度のメタリック感を出すかを少なくとも設定する。さらに、メタリック量調整部１３で調整の際に使用する設定を行っていてもよい。このような設定を固定的に行う場合には、このメタリック量設定部１２を設けずに構成してもよい。
【００３１】
メタリック量調整部１３は、メタリック色による見かけ上の色の変化に対して最大メタリック量決定部１１で決定されたメタリック色の色材量の最大値Ｓｍａｘ以下の範囲でメタリック色の色材量を調整し、調整後のメタリック色の色材量をＳｏとする。この調整は、与えられた色信号の明度又は彩度に基づいて行うとよい。一例としては、予め決められた明度以下の色について明度が低いほどメタリック色の色材量を減らす調整を行い、予め決められた明度以上の色について明度が高いほどメタリック色の色材量を減らす調整を行い、彩度が高いほどメタリック色の色材量を減らす調整を行うなどがある。これらの調整の設定は、このメタリック量調整部１３において行うほか、メタリック量設定部１２における設定を使用してもよい。さらに、メタリック量設定部１２にメタリック感に対する設定が行われている場合、そのメタリック感に対する設定に応じてメタリック色の色材量を減らす調整をさらに行ってもよい。
【００３２】
色材量決定部１４は、与えられた色信号とメタリック量調整部１３で調整されたメタリック色の色材量Ｓｏとから、メタリック色以外の色材量を決定する。図１に示した例ではＣ、Ｍ、Ｙのそれぞれの色の色材量Ｃｏ、Ｍｏ、Ｙｏを決定している。決定方法は従来から行われている方法を用いればよく、一例としてはニューラルネットワークや重み付け回帰モデルを用いればよい。
【００３３】
画像記録信号出力部１５は、メタリック量調整部１３で調整されたメタリック色の色材量Ｓｏと色材量決定部１４で決定したメタリック色以外の色の色材量（この例ではＣｏ、Ｍｏ、Ｙｏ）を出力する。このＣｏ、Ｍｏ、ＹｏとＳｏが画像記録信号として出力されることになる。
【００３４】
以下、上述した本発明の色処理装置の実施の一形態における動作の一例について、具体例を用いながら説明する。図２は、本発明の色処理装置の実施の一形態における動作の一例を示す流れ図である。Ｓ１において、与えられた色信号を受け取る。ここでは、色信号はＬ* ａ* ｂ* 色信号であるものとするが、これ以外の色信号であれば予めＬ* ａ* ｂ* 色信号に変換しておけばよい。
【００３５】
Ｓ２において、最大メタリック量決定部１１は、与えられた色信号から、その色信号の色を再現する場合のメタリック色の色材量の最大値Ｓｍａｘを決定する。上述したが、この決定方法としては種々の公知の方法がある。一例としては、特許文献２に記載されている色変換モデルを用いる方法である。予め様々なＣ、Ｍ、Ｙ、Ｓの値の組み合わせによって再現される色を測色してＬ* ａ* ｂ* 値を取得することにより、複数の（Ｃ，Ｍ，Ｙ，Ｓ）と（Ｌ* ，ａ* ，ｂ* ）の組が得られる。この組を用いることにより（Ｌ* ，ａ* ，ｂ* ）＝ｆ（Ｃ，Ｍ，Ｙ，Ｓ）なる関数関係が得られるので、これを色変換モデルとすればよい。この色変換モデルを用い、メタリック色の色材量Ｓと与えられたＬ* ａ* ｂ* 色信号とからＣ、Ｍ、Ｙの値を求める。このＣ、Ｍ、Ｙが予め決められた範囲となっているか、あるいはＣ、Ｍ、Ｙ、Ｓの値から求めたＬ* ａ* ｂ* 値と与えられたＬ* ａ* ｂ* 色信号との色差が予め決められた範囲であるかを判定する。メタリック色の色材量Ｓを変更しながら、このような判定を行ってゆくことにより、メタリック色の色材量の最大値Ｓｍａｘを決定すればよい。
【００３６】
Ｓ３において、メタリック量調整部１３は、最大メタリック量決定部１１で決定されたメタリック色の色材量の最大値Ｓｍａｘ以下の範囲でメタリック色の色材量を調整する。メタリック色を用いて再現された色を測色した値が与えられた色信号の値となっても、メタリック色の使用により、再現された見かけ上の色が変化してしまう場合がある。メタリック量調整部１３におけるメタリック色の色材量の調整は、このような場合に対応するものである。その他にも、再現される画像においてどの程度メタリック感を表すのかを示す設定に応じたメタリック色の色材量の調整を行ってもよい。
【００３７】
図３は、メタリック色の色材量の調整方法の一例の説明図である。図３（Ａ）は明度とメタリック色の色材量の最大値に対する使用率との関係の一例を示しており、図３（Ｂ）は彩度とメタリック色の色材量の最大値に対する使用率との関係の一例を示している。なお、各図において太線はメタリック感を他の場合に比べて最も強く出す場合を示し、破線は実線の場合よりもメタリック感を減じ、点線は破線の場合よりもメタリック感を減じた場合を示している。なお、メタリック感を出さない場合には、メタリック色の色材量の最大値に対する使用率を０にすればよい。
【００３８】
図３（Ａ）に示す例において、太線で示したメタリック感を最大とする例では、明度（Ｌ* ）がｐ以上ｑ以下では使用率を最大（１００％）とし、この明度の範囲でメタリック感を発揮させている。また、明度ｐから明度が小さくなるに従って使用率を減少させている。低明度の暗い色においてメタリック色が使用されたことにより見かけ上の色が明るく視認されてしまうが、このように制御すると、低明度でメタリック色の使用が抑えられて見かけ上の色が明るくなるのが防がれる。さらに、明度ｑから明度が大きくなるに従って使用率を減少させている。高明度の明るい色ではメタリック感が発揮されるものの、メタリック色が使用されることにより見かけ上の色が暗く視認されてしまう。この例のように制御すると、高明度でのメタリック色の使用が抑えられて見かけ上の色が暗くなるのが防がれる。
【００３９】
また、低彩度色の方がメタリック感が発揮されることから、図３（Ｂ）に示す例において太線で示したメタリック感を最大とする例では、彩度（Ｃ* ）が０で使用率を１００％としている。また、彩度が大きくなるに従って使用率を低減し、彩度ｒ以上で使用率が０％となるようにしている。高彩度の鮮やかな色においてメタリック色が使用されることにより見かけ上の色がくすんで視認されてしまうが、このように制御すると、高彩度の色でのメタリック色の使用が抑えられ、見かけ上の色がくすんでしまうのが防がれる。
【００４０】
図３（Ａ）、（Ｂ）のいずれの場合も、太線で示したメタリック感を最大とする場合の使用率に、メタリック感の設定に応じた係数を乗算し、それぞれのメタリック感における使用率の設定を得た例を破線、点線により示している。もちろんこの例に限らず、例えばメタリック感の設定に応じて上限となる使用率を設定し、その上限となる使用率でクリップするなど、他の方法によりメタリック感の設定に応じた使用率を取得してもよい。
【００４１】
もちろん、図３（Ａ）、（Ｂ）に太線で示したメタリック感を最大とする場合の使用率についても、これらは一例であって、これらの例に限らずに使用率を設定してよい。その際には、低明度色、高明度色、高彩度色の１以上において他の色よりも使用率を減じるように設定するとよい。
【００４２】
図３（Ａ）に示した明度に応じた使用率と、図３（Ｂ）に示した彩度に応じた使用率は、いずれか一方を使用してもよいが、両者を共用してもよい。共用する場合には、例えば、明度に応じた使用率をαＬ、彩度に応じた使用率をαＣとし、共用する場合の使用率をαとして、関数ｆを用いてα＝ｆ（αＬ，αＣ）により求めた使用率αを用いて調整すればよい。簡単には、α＝αＬ・αＣとしてもよい。
【００４３】
また、メタリック感に関する設定がある場合には、この例ではαＬ、αＣがその設定を含む値となるが、例えば図３（Ａ）、（Ｂ）に太線で示したメタリック感を最大とする場合の使用率をαＬ、αＣとし、設定されたメタリック感に対応する係数をβとして、α＝β・αＬ・αＣで使用率を決定してもよい。もちろん、メタリック量設定部１２で使用率αを色に応じて設定しておき、その使用率αを与えられた色信号に従って選択して使用してもよい。
【００４４】
メタリック量調整部１３では、最大メタリック量決定部１１で決定されたメタリック色の色材量の最大値Ｓｍａｘに対して、得られたメタリック色の色材量の使用率αを乗算し、調整後のメタリック色の色材量ＳｏをＳｏ＝α・Ｓｍａｘとして求めればよい。もちろん、使用率αを用いた関数により得た値を乗算してもよい。
【００４５】
図２に戻り、Ｓ４において、色材量決定部１４は与えられた色信号とメタリック量調整部１３で調整されたメタリック色の色材量Ｓｏとから、メタリック色以外の色材量、ここではＣ、Ｍ、Ｙのそれぞれの色の色材量Ｃｏ、Ｍｏ、Ｙｏを決定する。この決定は、例えば色変換モデル（Ｌ* ，ａ* ，ｂ* ）＝ｆ（Ｃ，Ｍ，Ｙ，Ｓ）の逆変換モデル（Ｃ，Ｍ，Ｙ，Ｓ）＝ｆ-1（Ｌ* ，ａ* ，ｂ* ）を用い、この逆変換モデルにおいてＳをＳｏに固定し、（Ｃｏ，Ｍｏ，Ｙｏ）＝ｆ-1（Ｌ* ，ａ* ，ｂ* ，Ｓｏ）により色材量Ｃｏ、Ｍｏ、Ｙｏを決定すればよい。この逆変換モデルを解く際にも、例えばシンプレックス法やニュートン法などの非線形方程式の数値解法を適用すればよい。逆変換モデルを用いると、再現された色を測色した際に与えられた色信号（Ｌ* ，ａ* ，ｂ* ）が得られる色材量Ｃｏ、Ｍｏ、Ｙｏが求められる。もちろん、逆変換モデルを用いるほか、ニューラルネットワークなど、他の方法により色材量Ｃｏ、Ｍｏ、Ｙｏを決定してもよい。
【００４６】
Ｓ５において、画像記録信号出力部１５は、メタリック量調整部１３で調整されたメタリック色の色材量Ｓｏと、色材量決定部１４で決定したメタリック色以外の色の色材量、この例では色材量Ｃｏ、Ｍｏ、Ｙｏを、画像記録信号として出力する。出力される色材量Ｃｏ、Ｍｏ、Ｙｏ、Ｓｏにより再現される色は、測色すると与えられた色信号（Ｌ* ，ａ* ，ｂ* ）となる色である。メタリック色の色材量Ｓｏを調整していることにより、メタリック色の色材を使用することによる見かけ上の色の違いを回避している。
【００４７】
上述の説明ではメタリック色とともにＣ、Ｍ、Ｙの色材を用いることとしているが、例えばさらにＫの色材を用いる場合や、これらの色以外の特色の色材を用いる場合には、Ｋや特色の色材量についても色材量決定部１４で決定すればよい。その場合、例えば特許文献２に記載されている方法やその他の公知の方法によって、メタリック色以外の、Ｋあるいはさらに特色を含む各色の色材量を決定すればよい。あるいは、Ｋあるいはさらに特色についての色材量を決定し、その条件におけるメタリック色の色材量の最大値を最大メタリック量決定部１１で決定してメタリック量調整部１３で調整し、残りのＣ、Ｍ、Ｙの色材量を色材量決定部１４で求めるように構成してもよい。
【００４８】
図４は、本発明の色変換装置の第１の実施の形態を示す構成図である。図中、２１は３次元色変換部、２２は１次元色変換部である。この図示した例においても、色信号としてＬＡＢ色空間の色信号（Ｌ* ａ* ｂ* 色信号）が与えられるものとし、Ｃ、Ｍ、Ｙの各色とメタリック色Ｓの色材量が得られるものとしている。これに限らず、与えられる色信号は、ＬＵＶ色空間やｓＲＧＢ色空間などの装置非依存の色空間や、ＣＭＹ、ＣＭＹＫ、ＲＧＢなど装置依存の色空間の色信号などでもよい。これらの色空間の色信号を処理対象とするほか、ＬＡＢ色空間などの処理対象とする色空間に変換してから色信号が与えられる構成であってもよい。また、特色名などによって指示され、対応する色信号に変換して与えられる構成であってもよい。また、出力される各色材量についても、この例ではＣ、Ｍ、Ｙとメタリック色を示すＳの組み合わせとしているが、この例に限らず、ＣＭＹＫとＳ、ＲＧＢとＳなど、メタリック色Ｓを含む他の色材色の組み合わせであってもよく、色数にも限定されない。
【００４９】
３次元色変換部２１は、与えられたＬ* ａ* ｂ* 色信号から、メタリック色を含む各色（この例ではＣ、Ｍ、Ｙ、Ｓ）の色材量の組への色変換を行う。例えば、図１において本発明の色処理装置の実施の一形態として示した構成でよいが、この例では、記憶手段と補間手段により構成した場合について説明する。記憶手段には、Ｌ* ａ* ｂ* 色信号とＣＭＹＳの組との対を複数記憶させておく。あるいはその対のＬ* ａ* ｂ* 色信号から得られるアドレスにＣＭＹＳの組を記憶させておく。この対は、例えば図１に本発明の色処理装置の実施の一形態として示した構成に対してＬ* ａ* ｂ* 色信号を与え、得られた画像記録信号であるＣｏ、Ｍｏ、Ｙｏ、Ｓｏの組を、与えたＬ* ａ* ｂ* 色信号と対にすればよい。そして、３次元色変換部２１にＬ* ａ* ｂ* 色信号が与えられると、そのＬ* ａ* ｂ* 色信号に基づいて１または複数の対を選択し、対となっている画像記録信号を取得する。１つの対を選択した場合には取得した画像記録信号を３次元色変換部２１の出力とすればよい。また複数の対を選択した場合には、複数の画像記録信号を補間手段により補間し、補間結果を３次元色変換部２１の出力とすればよい。補間方法としては、公知の種々の補間方法から選択すればよい。もちろんこのような構成に限定されるものではなく、例えばニューラルネットワークにより構成して上述の対を教師信号として与えて学習させるなど、Ｌ* ａ* ｂ* 色信号からＣＭＹＳの組に変換する他の変換方法であってもよい。
【００５０】
図４に示す例では、さらに１次元色変換部２２を設けている。この１次元色変換部２２は、３次元色変換部２１から出力される各色の色材量に対して、それぞれの色材量を調整するために設けられている。もちろん、この１次元色変換部２２を設けずに構成してもよい。
【００５１】
図５は、本発明の色変換装置の第２の実施の形態を示す構成図である。図中、３１はメタリック量変更部、３２は色再現予測部、３３は色材量補正部である。メタリック色を用いる場合、もともときらきらした感じを出すために用いられるものの、そのきらきらした感じを増加または減少させることを要求される場合があり、その場合にはメタリック色の色材量を要求に応じて増減することになる。例えば図４に示す構成において、３次元色変換部２１として記憶手段と補間手段により構成する場合には、ある設計に従ってメタリック色の色材を使用するものとして、与えられたＬ* ａ* ｂ* 色信号に対応するＣＭＹＳを出力することになり、メタリック色の色材量の増減は１次元色変換部２２で行うことになる。この１次元色変換部２２でメタリック色の色材量を変更すると、再現される色が変わってしまう場合がある。図５に示す構成は、このようにメタリック色の色材量を変更した場合にも、再現される色が維持されるようにするものである。
【００５２】
なお、この第２の実施の形態においてもＬ* ａ* ｂ* 色信号が与えられてＣ、Ｍ、Ｙの各色とメタリック色Ｓの色材量が得られるものとしているが、この例に限られないことは第１の実施の形態で述べたとおりである。
【００５３】
メタリック量変更部３１は、３次元色変換部２１から得られるメタリック色の色材量を変更する。この例ではメタリック色の色材量ＳｏをＳｏ’に変更している。例えばメタリック感に対する要求や再現される色のメタリック感などに応じてメタリック色の色材量を変更する設定を行っておけばよい。
【００５４】
図５に示す例では、メタリック色の色材量を変更したことに伴ってメタリック色以外の色の色材量を補正する構成として、色再現予測部３２及び色材量補正部３３を有している。色再現予測部３２は、３次元色変換部２１から得られるメタリック色を含む各色の色材量から、再現される色を予測する。この例ではＣｏ、Ｍｏ、Ｙｏ、Ｋｏ、ＳｏからＬ*'ａ*'ｂ*'色信号への変換を行っている。この変換は、上述の色変換モデルを用いればよい。
【００５５】
色材量補正部３３は、色再現予測部３２で得られたＬ*'ａ*'ｂ*'色信号と、メタリック量変更部３１で変更されたメタリック色の色材量Ｓｏ’とから、メタリック色の色材量を変更した後のメタリック色以外の色の色材量を求める。この色材量補正部３３は、例えば上述の色変換モデルの逆変換モデルを使用し、メタリック色の色材量をＳｏ’として、メタリック色の色材量を変更した後の他の色の色材量であるＣｏ’、Ｍｏ’、Ｙｏ’を求めればよい。Ｃｏ、Ｍｏ、Ｙｏ、Ｋｏ、Ｓｏで再現される色を示すＬ*'ａ*'ｂ*'色信号に合わせて、変更後のメタリック色の色材量Ｓｏ’の場合の他の色の色材量Ｃｏ’、Ｍｏ’、Ｙｏ’を求めており、メタリック色の色材量が変更されても、再現される色が変わることはない。
【００５６】
色再現予測部３２及び色材量補正部３３は、例えばそれぞれのモデルに従って演算を行う手段で構成してもよいし、ニューラルネットワークで構成してもよいし、あるいは、記憶手段と補間手段により構成してもよい。記憶手段と補間手段により構成する場合、色再現予測部３２であれば、いくつかのＣＭＹＳの組から得られるアドレスにＬ* ａ* ｂ* 色信号を記憶させておき、与えられたＣｏＭｏＹｏＳｏからいくつかのＬ* ａ* ｂ* 色信号を読み出して補間処理を施してＬ*'ａ*'ｂ*'色信号を得ればよい。色材量補正部３３を記憶手段と補間手段により構成する場合には、いくつかのＬ* ａ* ｂ* 色信号から得られるアドレスにＣＭＹＳの組を記憶させておき、与えられたＬ*'ａ*'ｂ*'色信号からいくつかのＣＭＹＳの組を読み出して補間処理を施してＣｏ’Ｍｏ’Ｙｏ’Ｓｏ’を得ればよい。
【００５７】
また、色再現予測部３２及び色材量補正部３３は一体として構成してもよく、３次元色変換部２１から得られるＣｏＭｏＹｏＳｏとメタリック量変更部３１で変更したメタリック色の色材量Ｓｏ’とを受け取ってＣｏ’Ｍｏ’Ｙｏ’を出力するように構成すればよい。
【００５８】
図６は、本発明の色処理装置の実施の一形態及び色変換装置の各実施の形態で説明した機能をコンピュータプログラムで実現した場合におけるコンピュータプログラム及びそのコンピュータプログラムを格納した記憶媒体とコンピュータの一例の説明図である。図中、４１はプログラム、４２はコンピュータ、５１は光磁気ディスク、５２は光ディスク、５３は磁気ディスク、５４はメモリ、６１はＣＰＵ、６２は内部メモリ、６３は読取部、６４はハードディスク、６５はインタフェース、６６は通信部である。
【００５９】
上述の本発明の色処理装置の実施の一形態及び色変換装置の各実施の形態として説明した各部の機能の全部あるいは部分的に、コンピュータが実行するプログラム４１によって実現してもよい。その場合、そのプログラム４１およびそのプログラムが用いるデータなどは、コンピュータによって読み取られる記憶媒体に記憶させておけばよい。記憶媒体とは、コンピュータのハードウェア資源に備えられている読取部６３に対して、プログラムの記述内容に応じて、磁気、光、電気等のエネルギーの変化状態を引き起こして、それに対応する信号の形式で、読取部６３にプログラムの記述内容を伝達するものである。例えば、光磁気ディスク５１，光ディスク５２（ＣＤやＤＶＤなどを含む）、磁気ディスク５３，メモリ５４（ＩＣカード、メモリカード、フラッシュメモリなどを含む）等である。もちろんこれらの記憶媒体は、可搬型に限られるものではない。
【００６０】
これらの記憶媒体にプログラム４１を格納しておき、例えばコンピュータ４２の読取部６３あるいはインタフェース６５にこれらの記憶媒体を装着して、コンピュータからプログラム４１を読み出し、内部メモリ６２またはハードディスク６４（磁気ディスクやシリコンディスクなどを含む）に記憶し、ＣＰＵ６１によってプログラム４１を実行し、上述の本発明の色処理装置の実施の一形態及び色変換装置の各実施の形態として説明した機能が全部又は部分的に実現される。あるいは、通信路を介してプログラム４１をコンピュータ４２に転送し、コンピュータ４２では通信部６６でプログラム４１を受信して内部メモリ６２またはハードディスク６４に記憶し、ＣＰＵ６１によってプログラム４１を実行して実現してもよい。
【００６１】
コンピュータ４２には、このほかインタフェース６５を介して様々な装置が接続されていてもよい。例えば出力装置がインタフェース６５を介して接続され、色処理し、あるいは色変換した各色の色材量に基づいて出力装置で色を再現するように構成してもよい。また、例えば情報を受け付ける受付手段等も接続され、メタリック感に関する設定を行うように構成してもよい。なお、各構成が１台のコンピュータにおいて動作する必要はなく、処理段階に応じて別のコンピュータにより処理が実行されてもよい。もちろん、本発明の色処理装置の実施の一形態として説明した機能と、本発明の色変換装置の各実施の形態として説明した機能とが別のコンピュータにより処理が実行されてよいし、一体として実行されてもよいことは言うまでもない。
【００６２】
また、他の用途に適用する場合には、その用途におけるプログラムと一体として構成してもよい。さらに、部分的にハードウェアによって構成してもよいし、あるいは、すべてをハードウェアで構成してもよい。例えば本発明の色変換装置の各実施の形態で説明した各部を記憶手段と補間手段で構成する場合にはハードウェアとして構成するとよい。
【符号の説明】
【００６３】
１１…最大メタリック量決定部、１２…メタリック量設定部、１３…メタリック量調整部、１４…色材量決定部、１５…画像記録信号出力部、２１…３次元色変換部、２２…１次元色変換部、３１…メタリック量変更部、３２…色再現予測部、３３…色材量補正部、４１…プログラム、４２…コンピュータ、５１…光磁気ディスク、５２…光ディスク、５３…磁気ディスク、５４…メモリ、６１…ＣＰＵ、６２…内部メモリ、６３…読取部、６４…ハードディスク、６５…インタフェース、６６…通信部。
【図１】
2014036243.tif 000003
【図２】
2014036243.tif 000004
【図３】
2014036243.tif 000005
【図４】
2014036243.tif 000006
【図５】
2014036243.tif 000007
【図６】
2014036243.tif 000008